(57)【要約】【課題】  訪問者に対して迅速に対応しつつ、トラフィック量の低減を図ること。【解決手段】  このドアホンシステム１０は、訪問者の顔画像等の生体情報を受信する受信部１３３と、当該受信した生体情報と予め格納されているマッチング情報とを照合することにより訪問者を認証する認証部１３４と、認証部１３４による認証結果に基づいて、通信端末２０に対して接続を要求する通信部１３５とを備える。【選択図】  図１
2005218054.tif 000002
【特許請求の範囲】
【請求項１】
訪問者の生体情報を受信する受信手段と、
当該受信した生体情報と予め格納されているマッチング情報とを照合することにより前記訪問者を認証する認証手段と、
前記認証手段による認証結果に基づいて、特定の通信端末に対して接続を要求する通信手段と、
を備えることを特徴とするドアホンシステム。
【請求項２】
前記通信手段は、前記認証手段による認証が成功した場合に、特定の通信端末に対して接続を要求する、
請求項１記載のドアホンシステム。
【請求項３】
訪問者の生体情報を受信する受信手段と、
当該受信した生体情報と予め格納されているマッチング情報とを照合することにより前記訪問者を認証する認証手段と、
前記認証手段による認証後に特定の通信端末に対して接続を要求する通信手段と、
を備え、
前記通信手段は、当該要求に併せて前記認証手段による認証結果に関する情報を送信する、
ことを特徴とするドアホンシステム。
【請求項４】
前記通信手段は、当該要求に併せて前記認証手段によって認証された訪問者を特定する訪問者特定情報を送信する、
請求項１〜３のいずれか１項に記載のドアホンシステム。
【請求項５】
前記特定の通信端末は、訪問者の認証結果に応じて予め登録された通信端末である、
請求項１〜４のいずれか１項に記載のドアホンシステム。
【発明の詳細な説明】
【技術分野】
【０００１】
本発明は、ドアホンシステムに関するものである。
【背景技術】
【０００２】
近年のネットワークの大容量化及びマルチメディア対応の通信網の拡充に伴い、ドアホンと通信端末を接続することによって、外出先であっても訪問者と双方向通信が可能なシステムが実用化されている。
【０００３】
この種の技術としては、例えば、特許文献１に記載のものがある。このテレビドアホン装置は、ドアホン装置の呼出スイッチの押下を契機に訪問者の画像をＷＷＷサーバに格納した後、特定の携帯電話端末にそのサーバのＵＲＬ等を含む情報を送信するというものである。これに対して、携帯電話端末のユーザは、そのサーバにアクセスして訪問者の画像を取得後、必要に応じてドアホン装置と接続することにより訪問者との双方向通信を行う。
【特許文献１】特開２００２−２８１１８０号公報
【発明の開示】
【発明が解決しようとする課題】
【０００４】
しかしながら、上述した従来のドアホン装置においては、訪問者を特定するためには訪問者の画像を取得して確認する必要があり、その都度比較的大きな通信トラフィックが発生する。また、携帯電話端末とドアホン装置を接続するまでに複数の処理ステップが必要とされ、対話したい訪問者に迅速に対応することも困難である。
【０００５】
そこで、本発明は、かかる課題に鑑みて為されたものであり、訪問者に対して迅速に対応しつつ、トラフィック量の低減を図ることが可能なドアホンシステムを提供することを目的とする。
【課題を解決するための手段】
【０００６】
本発明のドアホンシステムは、訪問者の生体情報を受信する受信手段と、当該受信した生体情報と予め格納されているマッチング情報とを照合することにより訪問者を認証する認証手段と、認証手段による認証結果に基づいて、特定の通信端末に対して接続を要求する通信手段と、を備える。
【０００７】
このようなドアホンシステムでは、訪問者の顔画像や音声データ等の生体情報が受信され、その生体情報とマッチング情報とが照合されることにより訪問者が認証され、その認証結果に基づいて、特定の通信端末に接続が要求される。これにより、訪問者の特定が迅速に行われるとともに、訪問者特定のためのデータ通信や不必要な通信トラフィックの発生が抑えられる。
【０００８】
また、通信手段は、認証手段による認証が成功した場合に、特定の通信端末に対して接続を要求することが好ましい。この場合、訪問者の認証が成否に応じて必要性が判断された後に接続が要求されるので、無駄な通信トラフィックの発生がより一層抑えられる。
【０００９】
また、本発明のドアホンシステムは、訪問者の生体情報を受信する受信手段と、当該受信した生体情報と予め格納されているマッチング情報とを照合することにより訪問者を認証する認証手段と、認証手段による認証後に特定の通信端末に対して接続を要求する通信手段と、を備え、通信手段は、当該要求に併せて認証手段による認証結果に関する情報を送信する。
【００１０】
このようなドアホンシステムでは、訪問者の顔画像や音声データ等の生体情報が受信され、その生体情報とマッチング情報とが照合されることにより訪問者が認証され、特定の通信端末に認証結果の通知とともに接続が要求される。これにより、訪問者の特定が迅速に行われるとともに、訪問者特定のためのデータ通信が抑えられる。また、通信端末のユーザが認証結果を確認した後に接続要求に対して応答できるので、不必要な通信トラフィックが抑制される。
【００１１】
さらに、通信手段は、当該要求に併せて認証手段によって認証された訪問者を特定する訪問者特定情報を特定の通信端末に対して送信することも好ましい。このような構成とすれば、通信端末のユーザが訪問者を確認してから接続要求に対して応答できるので、不必要な通信トラフィックが抑制されるとともに、対話の必要性の高い訪問者に対するより迅速な応答が可能となる。
【００１２】
さらにまた、特定の通信端末は、訪問者の認証結果に応じて予め登録された通信端末であることが好ましい。この場合、例えば、認証の成否、訪問者の特定結果等に応じて異なる通信端末に接続され、訪問者に対する柔軟な応対が実現される。
【発明の効果】
【００１３】
本発明のドアホンシステムによれば、訪問者に対して迅速に対応しつつ、トラフィック量の低減を図ることができる。
【発明を実施するための最良の形態】
【００１４】
本発明の実施形態について図面を参照して説明する。なお、各図において、同一要素には同一符号を付して重複する説明を省略する。
【００１５】
［第１実施形態］
まず、本発明の第１実施形態について説明する。図１は、本発明の第１実施形態を示すドアホンシステム１０の概略構成図である。
【００１６】
このドアホンシステム１０は、家屋の玄関先等の屋外に設置されており、ドアホン親機１２との通話機能を有するドアホン子機１１と、コンピュータシステムであるドアホン装置１３と、屋内に設置されており、ドアホン子機１１との通話機能を有するとともにドアホン子機１１とドアホン装置１３との間の信号を中継するドアホン親機１２とを含んで構成されている。また、ドアホン装置１３は、通信ネットワーク３０を通じて通信端末２０と接続可能なように構成されている。以下、各構成要素について説明する。
【００１７】
ドアホン子機１１は、訪問者が家屋の居住者を呼び出すために使用する装置であり、物理的には、ドアホン親機１２を呼び出すための押しボタン（図示せず）、訪問者を撮影するためのカメラ１１３、訪問者の声を集音するためのマイク１１４、及びドアホン親機１２側から出力された音声信号を再生するためのスピーカ１１５を有している。ドアホン子機１１の機能的構成要素としては、音声入出力部１１１と映像入出力部１１２とを含んで構成されている。音声入出力部１１１は、マイク１１４により集音された訪問者の音声信号をドアホン親機１２に送信するとともに、ドアホン親機１２から出力された音声信号を受信してスピーカ１１５に出力する。また、映像入出力部１１２は、カメラ１１３により撮影された訪問者の映像信号をドアホン親機１２に送信する。
【００１８】
ドアホン装置１３は、通信端末２０とドアホン子機１１との通信を実現するための制御を行うサーバシステム（又は、サーバシステムの集合体）である。ドアホン装置１３の機能的構成要素としては、音声入出力部１３１と、映像入出力部１３２と、受信部（受信手段）１３３と、認証部（認証手段）１３４と、通信部（通信手段）１３５と、顔情報格納部１３６と、通信先情報格納部１３７と、アドレス情報格納部１３８とを備えて構成されている。
【００１９】
音声入出力部１３１は、ドアホン子機１１との間で音声信号の送受信を行う部分である。具体的には、音声入出力部１３１は、ドアホン子機１１からドアホン親機１２を経由して出力された訪問者の音声信号を受信するとともに、通信ネットワーク３０を経由して受信された通信端末２０の音声信号をドアホン親機１２に送信する。また、音声入出力部１３１は、受信した訪問者の音声信号を通信部１３５に出力する。
【００２０】
映像入出力部１３２は、ドアホン子機１１から映像信号の受信を行う部分である。具体的には、映像入出力部１３２は、ドアホン子機１１からドアホン親機１２を経由して出力された訪問者の映像信号を受信する。また、映像入出力部１３２は、訪問者の映像信号を受信部１３３及び通信部１３５に出力する。
【００２１】
受信部１３３は、映像入出力部１３２を経由してドアホン子機１１から、訪問者の生体情報である映像信号を受信する部分である。訪問者の生体情報としては、訪問者の顔画像、指紋画像、掌紋画像、網膜画像、虹彩画像等が挙げられるが、ドアホン子機１１の構成が簡易で取得可能な点において顔画像が好ましく用いられる。また、受信部１３３は、受信した映像信号を所定のデータフォーマットの認証用データに変換して、認証部１３４に出力する。なお、この映像信号のデータフォーマットの変換は、ドアホン子機１１又はドアホン親機１２において行われても良い。
【００２２】
認証部１３４は、受信部１３３から出力された認証用データを用いて訪問者を認証する部分である。具体的には、認証部１３４は、顔情報格納部１３６に予め格納されているマッチング情報を参照して認証処理を行う。この顔情報格納部１３６には、認証される被認証者を特徴付けるデータであるマッチング情報と、その被認証者を特定するための被認証者特定情報とが関連付けて格納されている。例えば、マッチング情報としては、目、鼻、口、輪郭等の顔の特徴を表すデータや、虹彩パターン、網膜パターンを表すデータ等が用いられる。また、被認証者特定情報としては、マッチング情報により特徴づけられる者を特定する「Ａさん」等が挙げられる。
【００２３】
認証部１３４は、認証用データから認証処理に必要な特徴データを抽出し、その特徴データに対して所定の演算を行った後、特徴データとマッチング情報とを照合する。この照合により特徴データとマッチング情報とが一致していると判断した場合は、認証部１３４は、認証結果情報「成功」とそのマッチング情報に対応する被認証者特定情報とを通信部１３５に出力する。一方、認証部１３４は、特徴データと顔情報格納部１３６に格納されている全てのマッチング情報とが一致していないと判断した場合は、認証結果情報「失敗」を通信部１３５に出力する。
【００２４】
通信部１３５は、認証部１３４による認証結果に基づいて、特定の通信端末に対して接続を要求する部分である。より詳細には、通信部１３５は、認証結果情報が「成功」の場合に、通信先情報格納部１３７を参照して、接続先の通信端末を特定する通信先電話番号を取得する。この通信先電話番号は、認証者の認証結果である被認証者特定情報に対応して予め登録されるものである。図２は、この通信先情報格納部１３７に格納されたデータの一例を示す構成図である。同図に示すように、通信先情報格納部１３７には、接続先の通信端末を特定する通信先電話番号が、被認証者特定情報に関連付けて格納されている。通信部１３５は、例えば、被認証者特定情報が「Ａさん」である場合は、被認証者特定情報「Ａさん」に対応する通信先電話番号である通信端末２０の電話番号「０９０−５ＸＸＸ−１２３４」を取得する。なお、被認証者特定情報に対応する通信先電話番号が存在しない場合は、通信部１３５はその後の処理を中止する。
【００２５】
図１に戻って、併せて、通信部１３５は、被認証者特定情報を着サブアドレスに変換することも行う。この変換はアドレス情報格納部１３８に格納された変換テーブルに基づいて行う。図３は、アドレス情報格納部１３８に格納された変換テーブルの一例を示す構成図である。同図に示すように、被認証者特定情報「Ａさん」と着サブアドレス「１０」とが関連付けて格納されている。通信部１３５は、認証部１３４によって認証された訪問者を特定する被認証者特定情報が「Ａさん」である場合は、この変換テーブルを参照して着サブアドレス「１０」に変換する。
【００２６】
そして、通信部１３５は、上述のようにして取得した通信先電話番号を着アドレスとして指定して、通信ネットワーク３０に対して接続要求信号を送信する。ここで、通信部１３５は、接続要求信号の送信時に併せて、認証部１３４によって認証された訪問者を特定するための着サブアドレス（訪問者特定情報）を通信端末２０に送信する。この着サブアドレスの送信は、接続要求信号に含まれる通信端末２０の電話番号「０９０−５ＸＸＸ−１２３４」に着サブアドレス「１０」を付加することにより行う。
【００２７】
また、通信部１３５は、通信端末２０から応答信号を受信した場合、通信端末２０と接続して、ドアホン子機１１と通信端末２０との間で音声信号及び映像信号を中継する。具体的には、通信部１３５は、音声入出力部１３１を経由してドアホン子機１１から送信された音声信号を、通信端末２０に送信し、通信端末２０から送信された音声信号を、音声入出力部１３１を経由してドアホン子機に送信する。また、映像入出力部１３２を経由してドアホン子機１１から送信された映像信号を通信端末２０に送信する。以上のようにして、通信部１３５は、ドアホン子機１１と通信端末２０との間の双方向の音声通信及び片方向の映像通信を制御する。
【００２８】
通信端末２０は、ドアホンシステム１０が備えられた家屋の居住者等が使用する通信端末であり、テレビ電話機能を備えるものである。通信端末２０としては、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ）、固定電話、ＩＰ電話用電話機といった情報通信可能な機器が広く適用可能となる。通信端末２０は、ドアホン装置１３から着サブアドレスを含む接続要求信号を受信すると、接続要求信号の中から着サブアドレスを抽出して、その着サブアドレスに対応する画像や文字などの着信表示をディスプレイに出力する機能を有する。出力する着信表示は、予め通信端末２０内に格納されるものであり、例えば被認証者の顔を示す画像や氏名を表す文字が用いられる。
【００２９】
続いて、本実施形態であるドアホンシステム１０の動作について説明する。図４は、本実施形態にかかるドアホンシステム１０の動作を示すシーケンス図である。
【００３０】
まず、ドアホン子機１１は、訪問者による押しボタンの押下を受け付けると、カメラ１１３により認証に必要な訪問者の所定位置の映像を取得して、その映像信号をドアホン装置１３に送信する（ステップＳ０１）。
【００３１】
ドアホン装置１３の受信部１３３は、ドアホン親機１２と映像入出力部１３２を介して訪問者の映像信号を受信して、所定のデータフォーマットの認証用データに変換する（ステップＳ０２）。認証部１３４は、受信部１３３から認証用データを受け取ると、顔情報格納部１３６に格納されている全てのマッチング情報を取得する（ステップＳ０３）。その後、認証部１３４は、認証用データから認証に必要な部位の特徴データを抽出し、その特徴データとマッチング情報を順次照合することにより訪問者の認証を行う（ステップＳ０４）。
【００３２】
通信部１３５は、認証部１３４から認証結果である認証結果情報及び被認証者特定情報を受け取ると、認証結果情報が「成功」であるか否かを判定する（ステップＳ０５）。認証部１３４から出力された認証結果情報が「成功」である場合には（ステップＳ０５；ＹＥＳ）、被認証者特定情報に基づいて通信先情報格納部１３７を参照して、通信先電話番号を取得する（ステップＳ０６）。また、通信部１３５は、アドレス情報格納部１３８に格納された変換テーブルに基づいて、被認証者特定情報を着サブアドレスに変換する（ステップＳ０７）。さらに、通信部１３５は、取得した通信先電話番号である着アドレスに上記のようにして変換した着サブアドレスを付加した後、この着アドレス及び着サブアドレスを含む接続要求信号を通信ネットワーク３０に送信する（ステップＳ０８）。
【００３３】
これに対して、通信ネットワーク３０を介して通信端末２０により接続要求信号が受信されると、着サブアドレスに対応する画像や文字などの着信表示が通信端末２０のディスプレイに出力される（ステップＳ０９）。その後、通信端末２０においてユーザによる着信ボタン押下等の応答操作が待ち受けられる（ステップＳ１０）。通信端末２０において応答操作が受け付けられると、通信端末２０により通信部１３５に対して接続応答信号が返信される（ステップＳ１１）。
【００３４】
そして、通信部１３５は、通信端末２０から接続応答信号を受信した後、ドアホン子機１１と通信端末２０間の音声信号及び映像信号を中継する（ステップＳ１２）。これにより、ドアホン子機１１と通信端末２０間の双方向の音声通信及びドアホン子機１１から通信端末２０への映像通信が実現される。
【００３５】
以下、本発明の第１実施形態であるドアホンシステム１０の作用効果について説明する。
【００３６】
上述のように構成されたドアホンシステム１０によれば、訪問者の顔画像等の生体情報が受信され、その生体情報と被認証者を特徴付けるマッチング情報とが照合されることにより訪問者が認証され、その認証結果に基づいて、通信端末２０に接続要求信号が送信される。これにより、訪問者の特定が迅速に行われるとともに、通信端末２０における訪問者特定のためのデータ通信の発生や不必要な訪問者との通信トラフィックの発生が抑えられる。
【００３７】
また、認証が成功した場合にのみ通信部１３５から通信端末２０に接続が要求されるので、無駄な通信トラフィックの発生がより一層抑えられる。
【００３８】
さらに、通信端末２０のユーザが、着信表示を参照して訪問者を確認してから接続要求に対して応答できるので、不必要な通信トラフィックが抑制されるとともに、対話の必要性の高い訪問者に対するより迅速な応答が可能となる。
【００３９】
またさらに、通信部１３５により、訪問者の認証結果に応じて予め登録された通信端末に接続が要求されるので、例えば、認証の成否、訪問者の特定結果等に応じて異なる通信端末に接続され、訪問者に対する柔軟な応対が実現される。
【００４０】
［第２実施形態］
本発明の第２実施形態にかかるドアホンシステムについて以下説明する。なお、第１の実施形態と同一又は同等な構成部分については同一符号を付して、その説明は省略する。
【００４１】
図５は、本発明の第２実施形態を示すドアホンシステム２１０の概略構成図である。なお、ドアホンシステム２１０と上述した第１実施形態にかかるドアホンシステム１０との主な相違点は、訪問者の認証を訪問者の音声に基づいて行う点、及び認証の成否に関わらずドアホンシステム１０から通信端末に接続が要求される点である。以下、ドアホンシステム１０とは異なる構成要素を有するドアホン装置２１３についてその相違点のみを説明する。
【００４２】
音声入出力部２３１は、ドアホン子機１１から訪問者の音声信号を受信すると、受信部２３３及び通信部２３５に出力する。また、映像入出力部２３２は、ドアホン子機１１から訪問者の映像信号を受信すると、通信部２３５に出力する。
【００４３】
受信部２３３は、ドアホン子機１１から音声入出力部２３１を経由して、訪問者の生体情報である音声信号を受信する。受信部２３３は、受信した音声信号を所定のデータフォーマットの認証用データに変換して認証部２３４に出力する。なお、この音声信号のデータフォーマットの変換は、ドアホン子機１１又はドアホン親機１２において行われても良い。
【００４４】
認証部２３４は、音声情報格納部２３６に予め格納されているマッチング情報を参照して認証処理を行う。この音声情報格納部２３６には、被認証者の声紋の特徴を示すマッチング情報である音声データと被認証者特定情報とが関連づけて格納されている。認証部２３４は、認証用データに対して所定の演算を行った後演算結果とマッチング情報とを照合することにより訪問者の認証を行う。
【００４５】
通信部２３５は、認証部２３４から出力された認証結果である認証結果情報及び被認証者特定情報に基づいて、通信先情報格納部２３７を参照して通信先電話番号を取得する。図６は、通信先情報格納部２３７に格納されたデータの一例を示す構成図である。同図に示すように、通信先情報格納部２３７には、通信先電話番号が認証結果情報と被認証者特定情報とに関連づけて格納されている。通信部２３５は、例えば、認証結果情報が「成功」であって被認証者特定情報が「Ａさん」である場合は、通信先電話番号として通信端末２０の電話番号である「０９０−５ＸＸＸ−１２３４」を取得する。
【００４６】
また、通信部２３５は、認証結果を着サブアドレスに変換することも行う。図７は、アドレス情報格納部２３８に格納された変換テーブルの一例を示す構成図である。同図に示すように、認証結果情報及び被認証者特定情報の組合せと着サブアドレスとが関連づけて格納されている。例えば、認証結果情報「失敗」には着サブアドレス「００」が、認証結果情報「成功」及び被認証者特定情報「Ａさん」の組合せには着サブアドレス「１０」が対応付けられている。そこで、通信部２３５は、認証結果情報が「成功」であり、被認証者特定情報が「Ａさん」である場合には、この変換テーブルを参照してこれらの認証結果を着サブアドレス「１０」に変換する。これに対して、通信部２３５は、認証結果情報が「失敗」である場合には、認証結果を着サブアドレス「００」に変換する。
【００４７】
図５に戻って、通信部２３５は、通信先電話番号を着アドレスとして指定して、通信ネットワーク３０に対して接続要求信号を送信する。ここで、通信部２３５は、接続要求信号の送信に併せて、認証部２３４による認証結果を特定するための着サブアドレスを通信端末２０に送信する。この着サブアドレスの送信は、接続要求信号に含まれる着アドレスに付加することにより行う。
【００４８】
続いて、第２実施形態であるドアホンシステム２１０の動作について説明する。図８は、本実施形態にかかるドアホンシステム２１０の動作を示すシーケンス図である。図８に示すステップＳ２０７〜Ｓ２１１の各処理は、第１実施形態において詳述したステップＳ０８〜Ｓ１２の各処理（図４参照）と、それぞれ同一であるので、第１実施形態とは異なるステップＳ２０１〜Ｓ２０６の処理について説明する。
【００４９】
ドアホン子機１１は、訪問者による押しボタンの押下を受け付けると、マイク１１４により訪問者の音声を集音して、その音声信号をドアホン装置２１３に送信する（ステップＳ２０１）。
【００５０】
ドアホン装置２１３の受信部２３３は、ドアホン親機１２と音声入出力部２３１を介して訪問者の音声信号を受信して、所定のデータフォーマットの認証用データに変換する（ステップＳ２０２）。認証部２３４は、受信部２３３から認証用データを受け取ると、音声情報格納部２３６に格納されている全てのマッチング情報を取得する（ステップＳ２０３）。その後、認証部２３４は、認証用データに対して所定の演算を行った後、その演算結果とマッチング情報とを順次照合することにより訪問者の認証を行う（ステップＳ２０４）。
【００５１】
通信部２３５は、認証結果情報及び被認証者特定情報に基づいて、通信先情報格納部２３７を参照して通信先電話番号を取得する（ステップＳ２０５）。また、通信部２３５は、アドレス情報格納部２３８に格納された変換テーブルに基づいて、認証結果である認証結果情報及び被認証者特定情報の組合せを着サブアドレスに変換する（ステップＳ２０６）。
【００５２】
以上説明したドアホンシステム２１０によっても、訪問者の音声データが受信され、その音声データと被認証者を特徴付けるマッチング情報とが照合されることにより訪問者が認証され、その認証後に通信端末２０に接続要求信号が送信される。これにより、訪問者の特定が迅速に行われるとともに、通信端末２０における訪問者特定のためのデータ通信の発生が抑えられる。
【００５３】
また、通信部２３５により、通信端末２０に対する接続要求信号に併せて訪問者の認証結果に関する情報が送信される。このような構成により、通信端末２０のユーザが認証結果を確認した後に接続要求に対して応答できるので、不必要な通信トラフィックが抑制される。
【００５４】
なお、本発明は、前述した実施形態に限定されるものではない。例えば、ドアホンシステム１０，２１０においては、訪問者の映像信号又は音声信号に基づいて認証が行われていたが、これは特定の認証方式には限られない。例えば、ドアホン子機１１の押しボタン等によるパスワード認証により認証が行われても良いし、訪問者の指紋画像、掌紋画像に基づいた指紋認証、掌紋認証が行われても良い。
【００５５】
また、ドアホンシステム１０，２１０においては、被認証者特定情報に基づいて着サブアドレスが決定されていたが、これは、認証成否のみに基づいて着サブアドレスが決定されても良い。
【図面の簡単な説明】
【００５６】
【図１】本発明の第１実施形態を示すドアホンシステムの概略構成図である。
【図２】図１の通信先情報格納部に格納されたデータの一例を示す構成図である。
【図３】図１のアドレス情報格納部に格納された変換テーブルの一例を示す構成図である。
【図４】第１実施形態にかかるドアホンシステムの動作を示すシーケンス図である。
【図５】本発明の第２実施形態を示すドアホンシステムの概略構成図である。
【図６】図５の通信先情報格納部に格納されたデータの一例を示す構成図である。
【図７】図５のアドレス情報格納部に格納された変換テーブルの一例を示す構成図である。
【図８】第２実施形態にかかるドアホンシステムの動作を示すシーケンス図である。
【符号の説明】
【００５７】
１０，２１０…ドアホンシステム、１１…ドアホン子機、１１１…音声入出力部、１１２…映像入出力部、１１３…カメラ、１１４…マイク、１１５…スピーカ、１２…ドアホン親機、１３，２１３…ドアホン装置、１３１，２３１…音声入出力部、１３２，２３２…映像入出力部、１３３，２３３…受信部、１３４，２３４…認証部、１３５，２３５…通信部、１３６…顔情報格納部、２３６…音声情報格納部、１３７，２３７…通信先情報格納部、１３８，２３８…アドレス情報格納部、２０…通信端末、３０…通信ネットワーク。  
【図１】
2005218054.tif 000003
【図２】
2005218054.tif 000004
【図３】
2005218054.tif 000005
【図４】
2005218054.tif 000006
【図５】
2005218054.tif 000007
【図６】
2005218054.tif 000008
【図７】
2005218054.tif 000009
【図８】
2005218054.tif 000010